(57)【特許請求の範囲】
【請求項１】
ディスク状記録媒体が出し入れされるディスク出入口を有する筐体と、
前記筐体内に収納されると共に前記ディスク状記録媒体が着脱可能に装着されるディスク装着部を有するディスクドライブ装置と、
前記ディスク出入口内にストッパ部を突出して前記ディスク状記録媒体の通過を阻止する少なくとも１のストッパ部材と、
前記少なくとも１のストッパ部材を回動させつつ進退させて前記ディスク出入口に対して前記ストッパ部を出し入れさせるストッパ進退機構と、を備え
前記ストッパ進退機構は、
前記少なくとも１のストッパ部材を回動させる回動駆動部と、
前記少なくとも１のストッパ部材を回動方向と垂直をなす方向に進退させて前記ディスク出入口に前記ストッパ部を出し入れさせる進退駆動部と、を有する
ディスク記録及び／又は再生装置。
【請求項２】
二以上のストッパ部材を、前記筐体内の前記ディスク出入口の内側に横並びに配置して設け、
隣り合うストッパ部材間を回動可能に連結すると共に、前記進退駆動部によって前記二以上のストッパ部材を個別に進退動作させるようにした
請求項１記載のディスク記録及び／又は再生装置。
【請求項３】
前記ディスク状記録媒体を取り出し可能なディスク取出部と前記ディスク装着部との間に前記ディスク状記録媒体を搬送するディスク搬送機構と、
前記ディスク搬送機構の動作を検出するディスク搬送検出部と、を設け、
前記ディスク搬送検出部の検出結果に基づき前記ストッパ進退機構を作動させるようにした
請求項１又は２記載のディスク記録及び／又は再生装置。
【請求項４】
ディスク状記録媒体が出し入れされるディスク出入口を有する筐体と、
前記筐体内に収納されると共に前記ディスク状記録媒体が着脱可能に装着されるディスク装着部を有するディスクドライブ装置と、
前記ディスク出入口内にストッパ部を突出して前記ディスク状記録媒体の通過を阻止する少なくとも１のストッパ部材と、
前記少なくとも１のストッパ部材を回動させつつ進退させて前記ディスク出入口に対して前記ストッパ部を出し入れさせるストッパ進退機構と、を備え
前記ストッパ進退機構は、
前記少なくとも１のストッパ部材に設けた第１のカム面を有する少なくとも１のカム凸部と、
前記少なくとも１のカム凸部の回動軌跡上に配置されて前記筐体に設けられ且つ前記第１のカム面に摺動可能に接触される第２のカム面を有する少なくとも１のカム受部と、
前記少なくとも１のストッパ部材を、前記ストッパ部材が前記ディスク出入口から離れる方向へ付勢する付勢部材と、を有し、
前記付勢部材のバネ力に抗して前記少なくとも１のストッパ部材を移動させることにより前記ストッパ部を前記ディスク出入口内に突入させるようにした
ディスク記録及び／又は再生装置。
【請求項５】
前記ディスク状記録媒体を取り出し可能なディスク取出部と前記ディスク装着部との間に前記ディスク状記録媒体を搬送するディスク搬送機構と、
前記ディスク搬送機構の動作を検出するディスク搬送検出部と、を設け、
前記ディスク搬送検出部の検出結果に基づき前記ストッパ進退機構を作動させるようにした
請求項４記載のディスク記録及び／又は再生装置。
【発明の詳細な説明】
【技術分野】
【０００１】
本発明は、光ディスクや光磁気ディスク等のディスク状記録媒体を用いて情報信号の記録（書き込み）及び／又は再生（読み取り）を行うディスク記録及び／又は再生装置に係る。特に、２枚目のディスク状記録媒体が誤挿入されるのを防止するディスク記録及び／又は再生装置に関する。
【背景技術】
【０００２】
一般に、多数の情報を記憶しておくための装置として、ＣＤやＤＶＤ等の光ディスク（ＯＤ）或いは光磁気ディスク（ＭＯ）その他のディスク状記録媒体を使用して情報信号の記録及び／又は再生を行うディスク記録及び／又は再生装置が提供されている。
【０００３】
従来の、この種のディスク記録及び／又は再生装置としては、例えば、特許文献１に記載されているようなものがある。特許文献１には、ディスク状記録媒体がディスク出入口から出し入れされるスロットイン方式のディスク記録及び／又は再生装置に関するものが記載されている。この特許文献１に係るディスク記録及び／又は再生装置（以下、「第１の従来例」という。）は、次の通りである。即ち、ディスク出入口が設けられた筐体と、ディスク出入口を覆うように設けられたゲート部材と、ディスク状記録媒体をディスク出入口に通過させて搬送するディスク移動機構と、を備えて構成されている。ゲート部材は、ディスク状記録媒体が通過される切り口を有するゲートカバーと、切り口周縁部の抵抗力を変更させる抵抗力変更手段とが設けられている。ゲート部材は、布や合成樹脂シート等の布状部材で形成されており、ディスク状記録媒体がディスク出入口に挿入されるときに、ゲートカバーがスリットを中心として回転するように構成されている。
【０００４】
また、従来のディスク記録及び／又は再生装置の他の例としては、例えば、特許文献２に記載されているようなものもある。特許文献２には、再生専用（非記録系）ディスクと記録・再生両用（記録系）ディスクの両方に適用可能なディスククランプ機構とそのディスクドライブ装置に関するものが記載されている。この特許文献２に係るディスクドライブ装置（以下、「第２の従来例」という。）は、次の通りである。即ち、支点を中心にクランプ位置とクランプ解除位置との間で回動されるクランプアームを有する。更に、クランプアームの先端に遊びを有する状態に保持され且つクランプ位置へ回動されることによりディスクをターンテーブルに圧着すると共にクランプ解除位置へ回動されることによりターンテーブルに対するディスクの圧着が解除されるクランパを有する。クランプアームの先端に、ターンテーブル側へ屈曲された先端屈曲部を形成し、その際、先端屈曲部のクランプアームに対する屈曲点がクランパの重心位置よりも支点側へ所定寸法だけ偏位されている、ことを特徴としている。
【０００５】
しかしながら、上述した第１及び第２の従来例の場合には、ともに２枚目の光ディスクの挿入を防止する機構がなかったために、２枚目の光ディスクが誤挿入されるおそれがあった。
【特許文献１】特開２００２−３３４４９９号公報
【特許文献２】特開２００６−３０２４２５号公報
【０００６】
なお、特許文献として引用しないが、ディスク出入口の略全体を覆う平板状のシャッタ部材を設け、そのシャッタ部材を回動させてディスク出入口を閉じる形式の誤挿入防止機構は存在した。しかしながら、その誤挿入防止機構は、部品自体が大きいために、装置全体が大型化されるという問題があった。更に、シャッタ部材を回転させるための支点構造が必要となることから、構造が複雑になるという問題もあった。
更に、ディスク出入口の付近に配置されたシャッタ部材を、光ディスクの移動軌跡上に移動させるタイプのものも存在した。しかしながら、そのタイプのものは、連動するガイド部品の移動スペースが必要になることから、装置全体の小型化が困難であった。
【発明の開示】
【発明が解決しようとする課題】
【０００７】
解決しようとする問題点は、従来のディスク記録及び／又は再生装置では、２枚目のディスク状記録媒体の挿入を阻止する機構が複雑であり、部品自体が大形であったため、装置全体の小型化が困難であったという問題である。
【課題を解決するための手段】
【０００８】
本発明のディスク記録及び／又は再生装置は、ディスク状記録媒体が出し入れされるディスク出入口を有する筐体と、その筐体内に収納されると共にディスク状記録媒体が着脱可能に装着されるディスク装着部を有するディスクドライブ装置と、ディスク出入口内にストッパ部を突出してディスク状記録媒体の通過を阻止する少なくとも１のストッパ部材と、少なくとも１のストッパ部材を回動させつつ進退させてディスク出入口に対してストッパ部を出し入れさせるストッパ進退機構と、を備える。そして、ストッパ進退機構は、少なくとも１のストッパ部材を回動させる回動駆動部と、少なくとも１のストッパ部材を回動方向と垂直をなす方向に進退させてディスク出入口にストッパ部を出し入れさせる進退駆動部とを有する。
【発明の効果】
【０００９】
本発明によれば、１枚目のディスク状記録媒体が挿入された後は、ストッパ部材を動作させてストッパ部をディスク出入口に突出させることにより、２枚目のディスク状記録媒体が挿入される誤挿入を確実に防止することができる。
【発明を実施するための最良の形態】
【００１０】
ストッパ進退機構でストッパ部材を回動させつつ昇降させることにより、ストッパ部をディスク出入口に突出させて２枚目のディスク状記録媒体の挿入を阻止することにより、ディスク状記録媒体や内部装置、機構の破損等を防止することができる。
【実施例１】
【００１１】
以下に、本発明のディスク記録及び／又は再生装置の実施の形態を、図面を参照して説明する。図１は、本発明のディスク記録及び／又は再生装置の実施の例を示すもので、情報の再生のみならず記録も可能としたディスク記録再生装置に適用した外観斜視図ある。この実施例に示すディスク記録再生装置１は、ディスク状記録媒体として直径１２ｃｍの光ディスク２を用いて情報信号の記録（書き込み）と再生（読み出し）の両方が可能に構成されている。しかしながら、ディスク記録及び／又は再生装置としては、再生のみが可能なディスク再生装置であってもよく、また、記録のみが可能なディスク記録装置であってもよい。
【００１２】
また、ディスク状記録媒体としては、ＣＤやＤＶＤ等の再生専用の光ディスク、１度の書き込みが可能なＣＤ−ＲやＤＶＤ−Ｒ、ビデオＣＤ−Ｒ等の光ディスクを適用することができる。更に、何度でも書き込みが可能なＣＤ−ＲＷやＤＶＤ−ＲＷ、ビデオＣＤ−ＲＷ等の光ディスクは勿論のこと、再生専用のＣＤやＣＤ−ＲＯＭ等の光ディスクを用いることもできる。更に又、ディスク状記録媒体として光磁気ディスク（ＭＯ）その他のディスク状記録媒体を使用することもできる。
【００１３】
図１に示すように、ディスク記録再生装置１は、上面及び下面に開口されたベース部材をなすメインシャーシ４と、このメインシャーシ４の上面を覆う上面部材である上部プレート５とを有している。メインシャーシ４と上部プレート５とで直方体をなす偏平の筐体３が構成されている。この筐体３の内部には、メインシャーシ４に移動可能に支持されたディスクドライブ装置６が収納されている。更に、筐体３の内部には、光ディスク２を筐体３内のディスク装着部と筐体３外のディスク取出部との間に搬送するディスク搬送機構７と、制御装置等が収納されている。制御装置は、ディスクドライブ装置６とディスク搬送機構７とその他の装置や機構等を動作させる。
【００１４】
メインシャーシ４は、図８に示すように、長方形をなすよう四角形の枠状に形成された正面部４ａ、背面部４ｂ及び左右の側面部４ｃ，４ｄを有している。そして、互いに対向するように配置された正面部４ａと背面部４ｂの向き合う方向が、光ディスク２の搬送される前後方向となっている。正面部４ａの内側には、前後方向と交差する左右方向に所定の幅を持って延在された前棚部８ａが設けられている。また、左側面部４ｃの内側には、所定の幅を持って前後方向に延在された左摺動部８ｂが設けられ、右側面部４ｄの内側には、所定の幅を持って前後方向に延在された右摺動部８ｃが設けられている。そして、背面部４ｂの内側には、左摺動部８ｂの後端部と右摺動部８ｃの後端部を連結するように、所定の幅を持って左右方向に延在された後棚部８ｄが設けられている。
【００１５】
筐体３の正面部（メインシャーシ４の正面部と上部プレート５の正面部）の接触部には、光ディスク２が出し入れされるディスク出入口９が設けられている。ディスク出入口９は、左右方向に延在された横長の長穴として形成されており、横方向の長さは光ディスク２の直径よりもやや大きく（１〜２ミリ程度）形成され、縦方向の長さは光ディスク２の厚さよりも適当に大きく（５〜８ミリ程度）形成されている。このディスク出入口９には、光ディスク２の通過を許容するが、常時は閉じていて塵埃等の通過を阻止する防塵部材を取り付けることが好ましい。この防塵部材としては、例えば、不織布、プラスチックシート等で形成された布状部材を用い、その中央部に光ディスク２を通過させるための切り込みを設けることによって構成することができる。
【００１６】
メインシャーシ４の正面部４ａの上部には、後述するディスク搬送機構１０が配置されて取り付けられている。このディスク搬送機構１０と前棚部８ａとの間には所定の空間部が設定されており、その空間部には、後に詳細に説明する、ディスク搬送機構１０の動力部と、少なくとも１のストッパ部材を有するストッパ進退機構１１とが設けられている。ストッパ進退機構１１は、ストッパ部材を移動させることにより、ストッパ部をディスク出入口９に突出させて光ディスク２の通過を阻止すると共に、そのストッパ部をディスク出入口９から引き込めて光ディスク２の通過を許容する。
【００１７】
ディスク搬送機構１０は、図１８〜図２０に示すような構成を有している。即ち、ディスク搬送機構１０は、ベースプレート１４と一対のホルダアーム１５Ａ，１５Ｂと一対の操作レバー１６Ａ，１６Ｂ及び一対の回動レバー１７Ａ，１７Ｂと第１の捩りバネ１８Ａ，１８Ｂ及び第２の捩りバネ１９Ａ，１９Ｂを有している。ベースプレート１４は平板状に形成されている。このベースプレート１４に、一対のホルダアーム１５Ａ，１５Ｂと、一対の操作レバー１６Ａ，１６Ｂ及び一対の回動レバー１７Ａ，１７Ｂが回動可能に支持されている。そして、第１の捩りバネ１８Ａ，１８Ｂと第２の捩りバネ１９Ａ，１９Ｂとが、２組のレバー部材１６Ａ，１６Ｂ及び１７Ａ，１７Ｂをベースプレート１４の面方向へ付勢する付勢部材の一具体例を示している。
【００１８】
ディスク搬送機構１０のベースプレート１４は、メインシャーシ４の前後方向（光ディスク２の搬送方向）と直交する左右方向の長さが当該メインシャーシ４と同じ長さに設定されていて、前後方向に適宜な幅を有している。このベースプレート１４の左右方向となる長手方向の両側には、扇形とされた扇形部１４ａ，１４ｂが設けられている。各扇形部１４ａ，１４ｂの扇形の中心となる両角部には、一対のホルダアーム１５Ａ，１５Ｂをそれぞれ回動自在に支持するための軸受部２１ａ，２１ｂがそれぞれ設けられている。各軸受部２１ａ，２１ｂは、内側半分を切り欠いた半円筒状の筒軸部として形成されており、その内部には、駆動ギアがそれぞれ回転自在に挿入される。
【００１９】
ベースプレート１４の扇形部１４ａ，１４ｂには、表裏面間を貫通する略扇形をなす開口部２４ａ，２４ｂが設けられている。各開口部２４ａ，２４ｂには、第１のプーリ２２Ａ，２２Ｂをそれぞれ回転自在に支持する一対のホルダアーム１５Ａ，１５Ｂの第１のプーリ軸受部２５（図２１を参照）がそれぞれ貫通されている。一対のホルダアーム１５Ａ，１５Ｂは左右対称の形状及び構成を有しており、その代表例として左側に位置する第１のホルダアーム１５Ａを図２１に示す。
【００２０】
第１のホルダアーム１５Ａ（第２のホルダアーム１５Ｂも同様）は、平面形状が略三角形に形成された板状の部材からなり、その一つの角部は丸められている。そして、丸められた角部の中心部に、ベースプレート１４に設けた半円筒状の筒軸部が回動自在に嵌合される軸受穴２７Ａ（２７Ｂ）が設けられている。ホルダアーム１５Ａ（１５Ｂ）の一方の側縁には、所定間隔をあけて第１のプーリ軸受部２５Ａ（２５Ｂ）と第２のプーリ軸受部２６Ａ（２６Ｂ）が設けられている。ホルダアーム１５Ａ（１５Ｂ）をベースプレート１４に組み立てた状態において、第１のプーリ軸受部２５Ａ（２５Ｂ）は開口部２４ａ（２４ｂ）に配置され、第２のプーリ軸受部２６Ａ（２６Ｂ）は扇形部１４ａ（１４ｂ）の外側に配置される。そして、ホルダアーム１５Ａ（１５Ｂ）の回動動作を許容するため、扇形部１４ａ（１４ｂ）の外縁は円弧状に形成されている。
【００２１】
第１のプーリ軸受部２５Ａ（２５Ｂ）と第２のプーリ軸受部２６Ａ（２６Ｂ）は、ホルダアーム１５Ａ（１５Ｂ）の一面側へ突出するように形成されている。プーリ軸受部２５Ａ（２５Ｂ）は、突出側の先端に設けた先端側軸受片２５ａと、これに対向されたアーム側の基端側軸受片２５ｂを有している。そして、先端側軸受片２５ａと基端側軸受片２５ｂとは脚片によって連結され、所定の間隔を保持するようになされている。同様に、プーリ軸受部２６Ａ（２６Ｂ）は、突出側の先端に設けた先端側軸受片２６ａと、これに対向されたアーム側の基端側軸受片２６ｂを有している。そして、先端側軸受片２６ａと基端側軸受片２６ｂとは脚片によって連結され、所定の間隔を保持するようになされている。
【００２２】
これら先端側軸受片２５ａ，２６ａ及び基端側軸受片２５ｂ，２６ｂには、それぞれ側方に開口された軸受孔が設けられている。これらの軸受孔を用いて、第１のプーリ軸受部２５Ａ（２５Ｂ）の先端側軸受片２５ａと基端側軸受片２５ｂの間には第１のプーリ軸２８が掛け渡されて両端支持されている。また、第２のプーリ軸受部２６の先端側軸受片２６ａと基端側軸受片２６ｂの間には、第２のプーリ軸２９が、その両端を軸受孔に係合させることによって掛け渡されて両端支持されている。第１のプーリ軸２８には第１のプーリ２２Ａ（２２Ｂ）が回転自在に支持され、第２のプーリ軸２９には第２のプーリ２３Ａ（２３Ｂ）が回転自在に支持されている。
【００２３】
第１のプーリ２２Ａ（２２Ｂ）及び第２のプーリ２３Ａ（２３Ｂ）は、光ディスク２を半径方向外側から複数個で挟んで搬送するもので、そのための周方向に連続する環状溝が外周面に設けられている。また、第１のプーリ２２Ａ（２２Ｂ）には第１の出力ギア３１Ａ（３１Ｂ）が一体に設けられ、第２のプーリ２３Ａ（２３Ｂ）には第２の出力ギア３２Ａ（３２Ｂ）が一体に設けられている。第１のプーリ２２Ａ（２２Ｂ）と第２のプーリ２３Ａ（２３Ｂ）は同一のものであり、第１の出力ギア３１Ａ（３１Ｂ）と第２の出力ギア３２Ａ（３２Ｂ）も同一のものである。
【００２４】
更に、ホルダアーム１５Ａ（１５Ｂ）のプーリ軸受部２５Ａ（２５Ｂ），２６Ａ（２６Ｂ）のある面には、５つの軸部３３ａ〜３３ｅが所定位置に配置されて設けられている。５つの軸部３３ａ〜３３ｅには、５個の中間ギア３４ａ〜３４ｅがそれぞれ回転自在に支持されている。第１の中間ギア３４ａは、その一部が軸受穴２７Ａ（２７Ｂ）内に突出するように配置されており、組立後には、ディスク搬送機構１０の駆動ギアと噛合される。この第１の中間ギア３４ａには第２の中間ギア３４ｂが噛合されており、その第２の中間ギア３４ｂが第１の出力ギア３１Ａ（３１Ｂ）と噛合されている。第１の出力ギア３１Ａ（３１Ｂ）には第３の中間ギア３４ｃが噛合され、第３の中間ギア３４ｃには第４の中間ギア３４ｄが噛合されている。そして、第４の中間ギア３４ｄには第５の中間ギア３４ｅが噛合され、その第５の中間ギア３４ｅが第２の出力ギア３２Ａ（３２Ｂ）と噛合されている。
【００２５】
ホルダアーム１５Ａ（１５Ｂ）がベースプレート１４に組み立てられた状態では、そのプーリ軸受部２５Ａ，２６Ａ（２５Ｂ，２６Ｂ）は、ベースプレート１４の軸受部２１ａ（２１ｂ）のある面側に出力ギア３１Ａ，３２Ａ（３１Ｂ，３２Ｂ）が突出される。この出力ギア３１Ａ，３２Ａ（３１Ｂ，３２Ｂ）と一体に設けたプーリ２２Ａ，２３Ａ（２２Ｂ，２３Ｂ）が、ベースプレート１４の反対の面側に突出されている。かくして、ディスク搬送機構１０の駆動ギアから第１の中間ギア３４ａに回転力が伝達されると、その回転力が第２の中間ギア３４ｂを介して第１の出力ギア３１Ａ（３１Ｂ）に伝達される。更に、第１の出力ギア３１Ａ（３１Ｂ）に伝達された回転力は、第３の中間ギア３４ｃから第４の中間ギア３４ｄ及び第５の中間ギア３４ｅを介して第２の出力ギア３２Ａ（３２Ｂ）に伝達される。その結果、第１のプーリ２２Ａ（２２Ｂ）と第２のプーリ２３Ａ（２３Ｂ）が共に同じ方向に回転駆動される。
【００２６】
また、ホルダアーム１５Ａ（１５Ｂ）のプーリ軸受部２５Ａ，２６Ａ（２５Ｂ，２６Ｂ）のある面には、レバー用軸部３５が立設されている。レバー用軸部３５は、軸受穴２７Ａ（２７Ｂ）と第１のプーリ軸受部２５Ａ（２５Ｂ）との間に配置されており、略円弧状に形成された押えレバー３６の一端が回動可能に支持されている。押えレバー３６は、５つの軸部３３ａ〜３３ｅ又は５個の中間ギア３４ａ〜３４ｅの少なくとも一方と重なり合うことができる形状とされており、５個の中間ギア３４ａ〜３４ｅのいずれもが軸部３３ａ〜３３ｅから脱落するのを防止している。この押えレバー３６は、付勢部材の一具体例を示す第３の捩りバネ３７によってプーリ軸受部２５Ａ（２５Ｂ）から離れる方向へ付勢されている。
【００２７】
第３の捩りバネ３７のコイル部はレバー用軸部３５に装着されており、そのコイル部に連続する一方のバネ片はホルダアーム１５Ａ（１５Ｂ）に係止され、そのコイル部の他方に連続するバネ片が押えレバー３６に係止されている。この第３の捩りバネ３７による押えレバー３６の回動を、ホルダアーム１５Ａ（１５Ｂ）に設けた係止部３８によって制限している。更に、押えレバー３６の先端部には、ホルダアーム１５Ａ（１５Ｂ）の開口部２４ａ（２４ｂ）を貫通してプーリ軸受部２５Ａ，２６Ａ（２５Ｂ，２６Ｂ）と同方向に突出する操作ピン３９が設けられている。操作ピン３９は、ホルダアーム１５Ａ（１５Ｂ）が正面側に移動するのを制限するときに使用される。この操作ピン３９に対応してベースプレート１４には、回動レバー１７Ａ（１７Ｂ）が設けられている。
【００２８】
回動レバー１７Ａ（１７Ｂ）は、ベースプレート１４の開口部２４ａ（２４ｂ）内に配置されており、枢軸によって回動自在に支持されている。この回動レバー１７Ａ（１７Ｂ）は前後方向に延在されており、その長手方向の中途部に枢軸が設けられている。この回動レバー１７Ａ（１７Ｂ）は、第２の捩りバネ１９Ａ（１９Ｂ）によって前端側が内側へ付勢され、後端側が開口部２４ａ（２４ｂ）の縁から離れる方向へ移動されている。この第２の捩りバネ１９Ａ（１９Ｂ）のコイル部はベースプレート１４に係止されている。そして、捩りバネ１９Ａ（１９Ｂ）のコイル部に連続する一方のバネ片が回動レバー１７Ａ（１７Ｂ）の先端部に係止され、そのコイル部の他方に連続するバネ片がベースプレート１４に係止されている。
【００２９】
また、ベースプレート１４の長手方向の中間部には、左右の扇形部１４ａ，１４ｂと同方向に突出する中央支持部１４ｃが設けられている。この中央支持部１４ｃを回動中心とする一対の操作レバー１６Ａ，１６Ｂが、ベースプレート１４の軸受部２１ａ（２１ｂ）のある面側に配置されている。一対の操作レバー１６Ａ，１６Ｂは、それぞれ略への字形に形成されたレバー状の部材からなり、第１の操作レバー１６Ａの長手方向の中途部にはガイドピン４１が設けられている。そして、ガイドピン４１が摺動可能に係合される長穴４２が、第２の操作レバー１６Ｂの長手方向の中途部に設けられている。
【００３０】
一対の操作レバー１６Ａ，１６Ｂは、それぞれの長手方向の一端が、中央支持部１４ｃに設けた一対の枢軸４３Ａ，４３Ｂによって回動自在に支持されている。各枢軸４３Ａ，４３Ｂには、第１の捩りバネ１８Ａ，１８Ｂのコイル部が装着されている。この第１の捩りバネ１８Ａ，１８Ｂのコイル部の一方に連続するバネ片が各操作レバー１６Ａ，１６Ｂに係止され、そのコイル部の他方に連続するバネ片は、ベースプレート１４に設けたバネ受け片にそれぞれ係止されている。この第１の捩りバネ１８Ａ，１８Ｂのバネ力により、一対の操作レバー１６Ａ，１６Ｂの各自由端側は、常時前側に付勢されている。
【００３１】
一対の操作レバー１６Ａ，１６Ｂの自由端側の先端には、一対のホルダアーム１５Ａ，１５Ｂを回動させるためのカムピン４４Ａ，４４Ｂが設けられている。これらのカムピン４４Ａ，４４Ｂは、対応するホルダアーム１５Ａ，１５Ｂに設けたカム溝に摺動可能に係合されている。その結果、一対の操作レバー１６Ａ，１６Ｂを回動させることにより、一対のホルダアーム１５Ａ，１５Ｂが軸受部２１ａ，２１ｂを回動中心として連動して回動するようになっている。
【００３２】
図１８は、ディスク搬送機構１０の初期状態を示すもので、Ｘ字状に交差された一対の操作レバー１６Ａ，１６Ｂは、第１の捩りバネ１８Ａ，１８Ｂのバネ力によって前側に付勢されている。このとき、一対の操作レバー１６Ａ，１６Ｂの自由端側は、ベースプレート１４の前端縁と略平行をなすように延在されている。そして、一対の操作レバー１６Ａ，１６Ｂの自由端に設けたカムピン４４Ａ，４４Ｂの作用により、そのカムピン４４Ａ，４４Ｂが係合されているカム溝を有する一対のホルダアーム１５Ａ，１５Ｂは、それぞれ最も前側に位置した状態となっている。この際、各ホルダアーム１５Ａ，１５Ｂの先端に保持されている第２のプーリ２３Ａ，２３Ｂは、ベースプレート１４の左右の扇形部１４ａ，１４ｂと中央支持部１４ｃとの間に形成された切欠き部内に入り込んでいる。
【００３３】
ディスク搬送機構１０を筐体３に組み立てると、そのディスク搬送機構１０はディスク出入口９の内側に配置される。このとき、ディスク搬送機構１０のベースプレート１４は、ディスク出入口９を通過する光ディスク２の移動軌跡の下方に配置されている。このベースプレート１４の上方の光ディスク２の移動軌跡上には、ベースプレート１４の左右方向両側に配置されている一対のホルダアーム１５Ａ，１５Ｂの、第１のプーリ軸受部２５Ａ，２５Ｂに支持されている左右の第１のプーリ２２Ａ，２２Ｂが位置している。更に、光ディスク２の移動軌跡上には、第２のプーリ軸受部２６Ａ，２６Ｂに支持されている左右の第２のプーリ２３Ａ，２３Ｂと、左右の押えレバー３６，３６に設けた操作ピン３９，３９も位置している。そして、第１のプーリ２２Ａ，２２Ｂは第２のプーリ２３Ａ，２３Ｂよりも前側に位置しており、その第１のプーリ２２Ａ，２２Ｂの内側で奥行き方向の奥側に、より接近した状態の第２のプーリ２３Ａ，２３Ｂが位置している。
【００３４】
図１８〜図２０は、ディスク搬送機構１０を下方（光ディスク２の移動軌跡の下側）から見た動作状態を説明するものである。即ち、図１８は、光ディスク２をディスク出入口９に挿入する前（又は光ディスク２がディスク出入口９から排出された後）の状態を示している。図１９は、光ディスク２がディスク出入口９を通過する際（光ディスク２を挿入するか又は排出するとき）の状態を示している。そして、図２０は、光ディスク２がディスク出入口９を通過した後（又は光ディスク２をディスク出入口９から排出する前）の状態を示している。
【００３５】
図１８に示す初期状態から、例えば、光ディスク２をディスク出入口９に挿入すると、その光ディスク２は、第１及び第２のプーリ２２Ａ，２２Ｂ及び２３Ａ，２３Ｂのうち、まず、一対の第２のプーリ２３Ａ，２３Ｂに当接し、これらを奥側に押し込む。これにより、第１のホルダアーム１５Ａが、第１の軸受部２１ａを回動中心として図中反時計方向に回動される。この第１のホルダアーム１５Ａの回動に連動して、第２の操作レバー１６Ｂが、第１の捩りバネ１８Ｂのバネ力に抗して第２の枢軸４３Ｂを回動中心として図中時計方向に回動される。これと同時に、第２のホルダアーム１５Ｂは、第２の軸受部２１ｂを回動中心として図中時計方向に回動される。この第２のホルダアーム１５Ｂの回動に連動して、第１の操作レバー１６Ａが、第１の捩りバネ１８Ａのバネ力に抗して第１の枢軸４３Ａを回動中心として図中反時計方向に回動される。このとき、第１の操作レバー１６Ａのガイドピン４１が第２の操作レバー１６Ｂの長穴４２内を移動するため、左右の操作レバー１６Ａ，１６Ｂを確実且つスムースに回動させることができる。
【００３６】
次に、図１９に示す中途状態のように、光ディスク２がある程度挿入されると、その光ディスク２は、一対の第１のプーリ２２Ａ，２２Ｂに当接し、これらを奥側に押し込む。これにより、一対の第２のプーリ２３Ａ，２３Ｂが光ディスク２から離れ、第１のホルダアーム１５Ａが更に反時計方向に回動され、第２のホルダアーム１５Ｂが更に時計方向に回動される。この第１のホルダアーム１５Ａ及び第２のホルダアーム１５Ｂの回動により、第２の操作レバー１６Ｂは第１の捩りバネ１８Ｂのバネ力に抗して更に時計方向に回動される。更に、第１の操作レバー１６Ａは第１の捩りバネ１８Ａのバネ力に抗して更に反時計方向に回動される。
【００３７】
そして、光ディスク２が更に押し込まれ（或いは引き入れられ）、図２０に示すように終端状態に近づくと、再び光ディスク２は、一対の第１のプーリ２２Ａ，２２Ｂから離れ、一対の第２のプーリ２３Ａ，２３Ｂに当接される。これにより、第１のホルダアーム１５Ａが更に反時計方向に回動され、第２のホルダアーム１５Ｂが更に時計方向に回動される。その後、図示しないが、光ディスク２がディスク装着部まで搬送されると、一対の第２のプーリ２３Ａ，２３Ｂが光ディスク２から離れる。そして、第１のプーリ２２Ａ，２２Ｂと第２のプーリ２３Ａ，２３Ｂが共に光ディスク２から離れた状態で、一対のホルダアーム１５Ａ，１５Ｂがロックされる。
【００３８】
この一対のホルダアーム１５Ａ，１５Ｂのロック状態において、光ディスク２がディスク装着部に装着される。これにより、ディスク装着部に装着された光ディスク２に対する情報信号の記録（書き込み）及び／又は再生（読み出し）が可能となる。
この際、光ディスク２の搬送状態は、図示しないディスク搬送検出部によって検出される。ディスク搬送検出部としては、例えば、光ディスク２の移動によってオン・オフされるリミットスイッチや位置検出センサ等を用いることができる。このディスク搬送検出部の検出信号に基づいて、例えば、後述するストッパ進退機構の動作が制御され、光ディスク２がディスク取出部とディスク装着部とに選択的に搬送される。
なお、情報信号の記録再生に供された光ディスク２は、上述した動作と逆の動作を経て、ディスク搬送機構１０により搬送され、ディスク出入口９から排出される。
【００３９】
このようにして光ディスク２を搬送するディスク搬送機構１０の動力部は、図５〜図７に示すように、メインシャーシ４の前棚部８ａに配置されている。このディスク搬送機構１０の動力部は、１個の駆動モータ４５と、その駆動モータ４５の回転軸に固定されたウォーム４６と、６種類のギア４７〜５２と、２個のプーリ５３，５４とを有している。２個のプーリ５３，５４は、動力伝達媒体の一具体例を示す無端状に連続されたゴムベルト５５によって動力伝達可能に連結されている。また、駆動モータ４５はモータブラケット５６を介して、その回転軸の軸心線を左右方向へ向けた状態で前棚部８ａに固定されている。この駆動モータ４５は前棚部８ａの左右方向の略中央部に配置されており、その駆動モータ４５の一方の端面部にモータブラケット５６がネジ止めされている。
【００４０】
モータブラケット５６には、大径ギアと小径ギアを一体に設けた第１のギア４７が回転自在に支持されている。その第１のギア４７の下部に設けた大径ギアがウォーム４６に噛合され、上部に設けた小径ギアが第２のギア４８の上部に設けた大径ギアに噛合されている。この第２のギア４８は、メインシャーシ４に設けた第１の支持軸５７に回動自在に支持されている。第１の支持軸５７には、揺動レバー５８も回動自在に支持されている。揺動レバー５８には回動軸６４が立設されており、その回動軸６４に第３のギア４９が回動自在に支持されている。第３のギア４９は、第２のギア４８の大径ギアに噛合されており、揺動レバー５８の回動に応じて、第３のギア４９が大径ギアに噛合した状態で第２のギア４８の外側を所定範囲内で回動変位可能とされている。
【００４１】
揺動レバー５８の回動方向の一方の端部において、第３のギア４９が第４のギア５０の下部に設けた小径ギアに噛合される。これにより、第３のギア４９まで伝達された駆動モータ４５の回転力が、第３のギア４９から第４のギア５０に伝達される。これに対して、揺動レバー５８が逆方向に回動すると、第３のギア４９が第４のギア５０の小径ギアから外れて噛合状態が解除される。これにより、第３のギア４９が空回り状態となり、第３のギア４９まで伝達された駆動モータ４５の回転力は、第４のギア５０に伝達されない状態となる。
【００４２】
第４のギア５０の上部には大径ギアが一体に設けられており、その大径ギアと小径ギアとの間に第１のプーリ部５３が一体に設けられている。この第１のプーリ部５３を回転自在に支持するための第２の支持軸５９が、メインシャーシ４の前棚部８ａの一方の角部に立設されている。この第２の支持軸５９と対称をなすように前棚部８ａの他方の角部には、第３の支持軸６０が立設されている。第３の支持軸６０には、第５のギア５１が回転自在に支持されている。第５のギア５１は、上部に設けた小径ギアと、下部に設けた大径ギアを有している。前棚部８ａの第３の支持軸６０の近傍には第４の支持軸６１が立設されている。第４の支持軸６１には第６のギア５２が回転自在に支持されており、この第６のギア５２の上部に第２のプーリ部５４が一体に設けられている。そして、第２のプーリ部５４と第１のプーリ部５３との間にゴムベルト５５が動力伝達可能に掛け渡されている。
【００４３】
また、第２のギア４８の下部には小径ギアが設けられており、その小径ギアに第７のギア６２の大径ギアが噛合されている。第７のギア６２は、前棚部８ａに立設された第５の支持軸６３に回動自在に支持されている。第７のギア６２の大径ギアの上部には小径ギアが一体に設けられており、この小径ギアには、後述する第１のスライドカム部材９３のラック部９８が着脱可能に噛合される。
【００４４】
かくして、駆動モータ４５を駆動すると、その回転軸の回転力が、ウォーム４６から第１のギア４７の大径ギアに伝達され、その第１のギア４７の小径ギアから第２のギア４８の大径ギアに伝達される。更に、第２のギア４８に伝達された回転力は、第３のギア４９と第４のギア５０が噛合している状態にあるときには、その大径ギアから第３のギア４９を介して、第４のギア５０の小径ギアに伝達される。これに対して、第３のギア４９が第４のギア５０から外れて噛合していない状態にあるときには、その回転力は第４のギア５０側には伝達されない。
【００４５】
第４のギア５０に伝達された回転力は、一方で、その駆動ギアである大径ギアからホルダアーム１５Ａの第１の中間ギア３４ａに伝達され、他方で、第１のプーリ部５３からゴムベルト５５に伝達される。このゴムベルト５５に伝達された回転力により、第２のプーリ部５４が回転駆動される。これにより、第２のプーリ部５４と一体の第６のギア５２が回転駆動され、その回転力が第５のギア５１の大径ギアに伝達される。その結果、第５のギア５１の小径ギア（駆動ギア）からホルダアーム１５Ｂの第１の中間ギア３４ａに回転力が伝達される。
【００４６】
また、メインシャーシ４の中央部には、前棚部８ａと左右摺動部８ｂ，８ｃと背面部４ｂとで囲まれた略長方形をなす開口部６５が設けられている。そして、メインシャーシ４の後部に設けた後棚部８ｄが、開口部６５の上方を覆うように一段高い位置に配置されている。このメインシャーシ４の開口部６５内にディスクドライブ装置６が配置されている。そして、左右方向の水平状態を維持しつつ前後方向へ回動可能として、ディスクドライブ装置６がメインシャーシ４に姿勢変更可能に支持されている。
【００４７】
ディスクドライブ装置６は、図５〜図７及び図９等に示すように、略直方体をなす偏平で枠状のドライブホルダ６６と、スピンドルモータ６８と、光ピックアップ７０と、ピックアップ移動機構７１等を備えて構成されている。スピンドルモータ６８は、ターンテーブル６７を有しており、ドライブホルダ６６に固定されている。また、ドライブホルダ６６には、光ピックアップ７０が移動可能に支持されている。そして、光ピックアップ７０は、ピックアップ移動機構７１によって移動可能とされている。
【００４８】
ドライブホルダ６６は、略長方形をなす枠状の上面部６６ａと、この上面部６６ａと対向するように所定の間隔をあけて設けた下面部６６ｂと、上面部６６ａの外縁と下面部６６ｂの外縁間を連結して側面を囲うように設けた側面部６６ｃとを有している。このドライブホルダ６６の長手方向一側において幅方向略中央部にスピンドルモータ６８が配置されていて、回転軸を上方へ向けた状態でスピンドルモータ６８が下面部６６ｂにネジ止めされている。スピンドルモータ６８としては、例えば、ステッピングモータやＤＣモータ等を適用することができる。
【００４９】
図１７Ａ，１７Ｂに示すように、スピンドルモータ６８の回転軸６９の上部に、ディスク装着部であるターンテーブル６７が固定されて回転方向に一体とされている。ターンテーブル６７は、光ディスク２のセンタ穴２ａの周縁部が載置される載置部６７ａと、そのセンタ穴２ａに嵌合される嵌合部６７ｂとを有している。ターンテーブル６７の載置部６７ａは、光ディスク２のセンタ穴２ａよりも直径をやや大きくした円盤形状をなしており、その中央部に嵌合部６７ｂが上方へ突出するように設けられている。
【００５０】
ターンテーブル６７の嵌合部６７ｂは、光ディスク２のセンタ穴２ａに見合う大きさとされている。この嵌合部６７ｂの内部に、リング状をなすマグネット７３とヨーク７４が内蔵されており、このマグネット７３の吸着力によって後述するクランプ部材がターンテーブル６７に吸着される。これにより、ターンテーブル６７に装着された光ディスク２が、クランプ部材とターンテーブル６７とで挟持されて回転方向に一体化される。このターンテーブル６７に対して光ピックアップ７０が、ピックアップ移動機構７１の作動により所定範囲内で接近及び離反可能に構成されている。
【００５１】
光ピックアップ７０は、例えば、対物レンズ７５を有する２軸アクチュエータと、レーザ光を発生する半導体レーザと、光ディスクの情報記録面で反射されて戻るレーザ光を受光する光検出器等によって構成されている。２軸アクチュエータは、対物レンズ７５をフォーカス方向（情報記録面と垂直をなす方向）とトラッキング方向（情報記録面と水平をなす方向）とに動かして、対物レンズ７５の焦点を情報記録面に合わせるものである。この２軸アクチュエータの駆動力としては専ら電磁力が用いられており、可動部の支持方式の違いとして、板ばね方式、ワイヤ支持方式、ヒンジ方式、軸摺動方式等に分類される。この２軸アクチュエータはスライド部材７６に搭載されており、ターンテーブル６７に装着された光ディスク２の情報記録面に対して対物レンズ７５が対向されるようになっている。
【００５２】
スライド部材７６は、２軸アクチュエータを収納する空間部と、レーザ光が通過する光路を有する横長のブロック状の部材からなり、その光路上に半導体レーザと光検出器等が配置されて固定されている。このスライド部材７６の長手方向の両側部において、その長手方向と直交する方向に２本のガイド軸７７Ａ，７７Ｂが貫通されている。２本のガイド軸７７Ａ，７７Ｂは互いに平行とされていて、ドライブホルダ６６の開口部を長手方向へ跨ぐように掛け渡されている。
【００５３】
２本のガイド軸７７Ａ，７７Ｂの一端は、スピンドルモータ６８を挟むようにその両側に配置され、下面部６６ｂに設けた前軸受片７８Ａ，７８Ｂによって支持されている。また、２本のガイド軸７７Ａ，７７Ｂの他端は、同じく下面部６６ｂに設けた後軸受片７９Ａ，７９Ｂによって支持されている。２本のガイド軸７７Ａ，７７Ｂのそれぞれの端部は、下面部６６ｂに固定された板バネ８１により付勢されており、これにより、所定位置への位置決めと振動の吸収等がなされている。
【００５４】
２本のガイド軸７７Ａ，７７Ｂのうち、第１のガイド軸７７Ａは、スライド部材７６の長手方向の一側に設けた第１の軸受部８２を摺動可能に貫通している。第１の軸受部８２は断面Ｕ字形の凹部からなる軸受溝を有しており、その軸受溝内に第１のガイド軸７７Ａが摺動可能に係合されている。また、第２のガイド軸７７Ｂは、スライド部材７６の長手方向の他側に設けた第２の軸受部８３を摺動可能に貫通している。第２の軸受部８３は、第２のガイド軸７７Ｂの軸方向に所定の間隔をあけて設けた２つの軸受凸部を有し、各軸受凸部には円形の軸受穴が設けられている。この２つの軸受穴に第２のガイド軸７７Ｂが摺動可能に挿通されている。
【００５５】
この第２のガイド軸７７Ｂの、第１のガイド軸７７Ａと反対側には、軸心線を第２のガイド軸７７Ｂの軸心線と平行にした送りネジ軸８４が配置されている。送りネジ軸８４は、送りモータ８５の回転軸となっている。送りモータ８５としては、例えば、ステッピングモータやＤＣモータ等を適用することができる。この送りモータ８５は、Ｌ字状に折り曲げ形成されたモータブラケット８６にネジ止めされていて、モータブラケット８６が下面部６６ｂに同じくネジ止めされている。そして、送りネジ軸８４の先端部は、下面部６６ｂの前軸受片７８Ｂの近傍に設けた軸受片８７に回動自在に支持されている。この送りネジ軸８４には、スライド部材７６に設けた送りナット８８が摺動可能に係合されている。
【００５６】
前記２本のガイド軸７７Ａ，７７Ｂと送りネジ軸８４と送りモータ８５等によってピックアップ移動機構７１が構成されている。このピックアップ移動機構７１は、図示しない制御装置から供給される制御信号に基づいて動作され、その結果、光ピックアップ７０が、次のように動作される。送りモータ８５の駆動によって送りネジ軸８４が回転されると、その回転力が送りナット８８からスライド部材７６に伝達される。これにより、送りネジ軸８４の回転方向に応じて光ピックアップ７０が、２本のガイド軸７７Ａ，７７Ｂにガイドされて、ターンテーブル６７に対して接近し、又はターンテーブル６７から離反する方向に移動される。この光ピックアップ７０の移動時に、光ディスク２の情報記録面に対する情報信号の記録（書き込み）及び／又は再生（読み出し）が実行される。
【００５７】
このような構成を有するディスクドライブ装置６のドライブホルダ６６における側面部６６ｃの左右方向両側には、図５〜図７及び図９等に示すように、側方に突出する２つのカムピン９１Ａ，９１Ｂ及び９２Ａ，９２Ｂがそれぞれ設けられている。左側面部に位置する第１のカムピン９１Ａ，９１Ｂと右側面部に位置する第２のカムピン９２Ａ，９２Ｂは、同じカムピンを点対称をなす位置に配置することによって形成されている。
【００５８】
この実施例では、第１のカムピン９１Ａ，９１Ｂのうち、スピンドルモータ６８に近い前側カムピン９１Ａの高さ方向の位置に比べて、スピンドルモータ６８から遠い後側カムピン９１Ｂの高さ方向の位置を高く設定し、前後方向で高さの段差を設けている。これに対して、第２のカムピン９２Ａ，９２Ｂでは、スピンドルモータ６８に近い前側カムピン９２Ａの高さ方向の位置を高く設定し、スピンドルモータ６８から遠い後側カムピン９２Ｂの高さ方向の位置を低く設定して、前後方向で高さの段差を設けている。なお、第１の前側カムピン９１Ａの高さと第２の後側カムピン９２Ｂの高さは同じであり、第１の後側カムピン９１Ｂの高さと第２の前側カムピン９２Ａの高さは同じである。
【００５９】
このような構成を有するドライブホルダ６６に対応させて、その左側面部には第１のスライドカム部材９３を対向させて配置し、その右側面部には第２のスライドカム部材９４を対向させて配置している。第１のスライドカム部材９３は、メインシャーシ４の左摺動部８ｂに前後方向へ摺動可能に収納されている。また、第２のスライドカム部材９４は、メインシャーシ４の右摺動部８ｃに前後方向へ摺動可能に収納されている。図８等に示すように、左摺動部８ｂと中央の開口部６４との間を仕切る第１の仕切り壁９５ａには、ドライブホルダ６６に設けた第１のカムピン９１Ａ，９１Ｂが挿通される第１の切欠き部１１５ａ，１１５ｂを対応する２箇所に設けている。同様に、右摺動部８ｃと中央の開口部６４との間を仕切る第２の仕切り壁９５ｂには、ドライブホルダ６６に設けた第２のカムピン９２Ａ，９２Ｂが挿通される第２の切欠き部１１６ａ，１１６ｂを対応する２箇所に設けている。
【００６０】
第１のスライドカム部材９３は、図９及び図１０等に示すような形状及び構成を有している。即ち、第１のスライドカム部材９３は、細長い板状の上面部９３ａと、この上面部９３ａの幅方向の一側に連続させて設けた内側面部９３ｂと、上面部９３ａの幅方向の他側に連続させて設けた外側面部９３ｃとを有する断面形状が略コ字形の棒体からなっている。第１のスライドカム部材９３の上面部９３ａには、後述する連動リンクの一端を回動自在に支持する第１の連結支持部９６と、後述する作動レバーを回動させる上カム部９７とが設けられている。第１の連結支持部９６は上面部９３ａの長手方向の一側である後端部に配置され、上カム部９７は長手方向の中間部に配置されている。
【００６１】
また、第１のスライドカム部材９３の内側面部９３ｂには、第７のギア６２の小径ギアに噛合可能とされたラック部９８と、ドライブホルダ６６に設けた第１のカムピン９１Ａ，９１Ｂと摺動可能に係合される第１のカム部９９とが設けられている。図１０に示すように、第１のスライドカム部材９３のラック部９８は、連結支持部９６と反対側の内側面部９３ｂの先端部において、前後方向へ所定の範囲内に設けられている。また、第１のカム部９９は、内側面部９３ｂの長手方向の一側であるラック部９８に近い前側に配置された第１の前カム部９９Ａと、連結支持部９６に近い後側に配置された第１の後カム部９９Ｂとから構成されている。第１の前カム部９９Ａには第１の前カムピン９１Ａが係合され、第１の後カム部９９Ｂには第１の後カムピン９１Ｂが係合されている。
【００６２】
第１の前カム部９９Ａは、下方に開口された挿入口１０１ａと、この挿入口１０１ａの上部から後方へ水平に延在された下水平部１０１ｂと、斜面部１０１ｃと、上水平部１０１ｄとを有している。斜面部１０１ｃは、下水平部１０１ｂの後部から斜め上方へ延在されており、この斜面部１０１ｃの上部から後方へ水平に上水平部１０１ｄが延在されている。同様に、第１の後カム部９９Ｂは、下方に開口された挿入口１０２ａと、この挿入口１０２ａの上部から後方へ水平に延在された下水平部１０２ｂと、斜面部１０２ｃと、上水平部１０２ｄとを有している。斜面部１０２ｃは、下水平部１０２ｂの後部から斜め上方へ延在されており、この斜面部１０２ｃの上部から後方へ水平に上水平部１０２ｄが延在されている。
【００６３】
第１のスライドカム部材９３を水平にした状態において、第１の前カム部９９Ａの上水平部１０１ｄと第１の後カム部９９Ｂの上水平部１０２ｄとは、同じ高さ位置となるように設定されている。これに対して、第１の前カム部９９Ａの下水平部１０１ｂは第１の後カム部９９Ｂの下水平部１０２ｂよりも低い位置に設定されており、第１の前カムピン９１Ａと第１の後カムピン９１Ｂとの間に設けた段差と対応するように構成されている。
【００６４】
第１のスライドカム部材９３の外側面部９３ｃは、断面形状をＬ字状とすることによって側方に突出するフランジ部が設けられている。この外側面部９３ｃのフランジ部は、左摺動部８ｂから第１のスライドカム部材９３が抜け出すのを防止するためのもので、組立後に、メインシャーシ４に設けた抜止め片が係合されて抜け止めされている。
【００６５】
また、第２のスライドカム部材９４は、図９及び図１１等に示すような形状及び構成を有している。即ち、第２のスライドカム部材９４は、細長い板状の上面部９４ａと、この上面部９４ａの幅方向一側に連続させて設けた内側面部９４ｂと、上面部９４ａの幅方向他側に連続させて設けた外側面部９４ｃとを有する断面形状が略コ字形をなす棒体とされている。第２のスライドカム部材９４の上面部９４ａには、連動リンクの他端を回動自在に支持する第２の連結支持部１０４と、後述する駆動レバーを回動させるレバー支持部１０５と、後述する第１の支持アームを回動させるアーム操作部１０６とが設けられている。第２の連結支持部１０４は上面部９４ａの長手方向の一側である後端部に配置され、アーム操作部１０６は長手方向の中間部に配置されていて、第２の連結支持部１０４とアーム操作部１０６との間にレバー支持部１０５が配置されている。
【００６６】
第２のスライドカム部材９４の内側面部９４ｂには、ドライブホルダ６６に設けた第２のカムピン９２Ａ，９２Ｂと摺動可能に係合される第２のカム部１０７が設けられている。図１１に示すように、第２のカム部１０７は、内側面部９４ｂの長手方向の一側であるアーム操作部１０６側に配置された第２の前カム部１０７Ａと、第２の連結支持部１０４に近い後側に配置された第２の後カム部１０７Ｂとから構成されている。第２の前カム部１０７Ａには第２の前カムピン９２Ａが係合され、第２の後カム部１０７Ｂには第２の後カムピン９２Ｂが係合されている。
【００６７】
第２の前カム部１０７Ａは、下方に開口された挿入口１０８ａと、この挿入口１０８ａの上部から前方へ水平に延在された下水平部１０８ｂと、斜面部１０８ｃと、上水平部１０８ｄとを有している。斜面部１０８ｃは、下水平部１０８ｂの前部から斜め上方へ延在されており、この斜面部１０８ｃの上部から前方へ水平に上水平部１０８ｄが延在されている。同様に、第２の後カム部１０７Ｂは、下方に開口された挿入口１０９ａと、この挿入口１０９ａの上部から前方へ水平に延在された下水平部１０９ｂと、斜面部１０９ｃと、上水平部１０９ｄとを有している。斜面部１０９ｃは、下水平部１０９ｂの前部から斜め上方へ延在されており、この斜面部１０９ｃの上部から前方へ水平に上水平部１０９ｄが延在されている。
【００６８】
第２のスライドカム部材９４を水平にした状態において、第２の前カム部１０７Ａの上水平部１０８ｄと第２の後カム部１０７Ｂの上水平部１０９ｄとは、同じ高さ位置となるように設定されている。これに対して、第２の前カム部１０７Ａの下水平部１０８ｂは第２の後カム部１０７Ｂの下水平部１０９ｂよりも低い位置に設定されており、第２の前カムピン９２Ａと第２の後カムピン９２Ｂとの間に設けた段差と対応するように構成されている。なお、第１の前カム部９９Ａと第２の前カム部１０７Ａ、及び、第１の後カム部９９Ｂと第２の後カム部１０７Ｂは、その内部の構成が逆配置となっている。
【００６９】
更に、第２のスライドカム部材９４の外側面部９４ｃは、断面形状をＬ字状とすることによって側方に突出するフランジ部が設けられている。この外側面部９４ｃのフランジ部は、右摺動部８ｃから第２のスライドカム部材９４が抜け出すのを防止するためのもので、組立後に、メインシャーシ４に設けた抜止め片が係合されて抜け止めされている。
【００７０】
図５〜図７は、メインシャーシ４の左摺動部８ｂに第１のスライドカム部材９３を組み立て、右摺動部８ｃに第２のスライドカム部材９４を組み立てた状態を示している。左摺動部８ｂには、第１のコイルバネ１１７Ａが中心線を前後方向へ向けた状態で収納され、右摺動部８ｃには、第２のコイルバネ１１７Ｂが中心線を前後方向へ向けた状態で収納されている。第１のコイルバネ１１７Ａ及び第２のコイルバネ１１７Ｂは、それぞれ自由状態又は少し圧縮した状態で保持されている。これらのコイルバネに対応して、各スライドカム部材９３，９４には、図示しないバネ押し凸部が設けられている。
【００７１】
第１のスライドカム部材９３では、バネ押し凸部は第１のコイルバネ１１７Ａの後方に配置されている。そして、第１のスライドカム部材９３が前方へ移動したときに、そのバネ押し凸部が第１のコイルバネ１１７Ａを押し縮めるように構成されている。一方、第２のスライドカム部材９４では、バネ押し凸部は第２のコイルバネ１１７Ｂの前方に配置されている。そして、第２のスライドカム部材９４が後方へ移動したときに、そのバネ押し凸部が第２のコイルバネ１１７Ｂを押し縮めるように構成されている。これにより、通常、第１のスライドカム部材９３は左摺動部８ｂの後方に位置しており、第２のスライドカム部材９４は右摺動部８ｃの前方に位置している。
【００７２】
このように組み立てられた左右のスライドカム部材９３，９４が、連動リンク１１１によって連動可能に連結されている。連動リンク１１１は、くの字状に形成されたリンク部材からなり、その長手方向の中途部に軸受穴１１１ａが設けられている。連動リンク１１１の軸受穴１１１ａには、メインシャーシ４の後棚部８ｄに設けた回動軸１１２が回動自在に嵌合されている。この回動軸１１２により、連動リンク１１１がメインシャーシ４に対して回動自在に支持されている。
【００７３】
連動リンク１１１の長手方向の一端には第１の連結ピン１１３Ａが設けられ、長手方向の他端には第２の連結ピン１１３Ｂが設けられている。連動リンク１１１の一側は第１のスライドカム部材９３の上方まで延在されており、その第１の連結支持部９６に第１の連結ピン１１３Ａが所定の範囲内で移動可能に連結されている。また、連動リンク１１１の他側は第２のスライドカム部材９４の上方まで延在されており、その第２の連結支持部１０４に第２の連結ピン１１３Ｂが所定の範囲内で移動可能に連結されている。
【００７４】
ここで、第１の連結ピン１１３Ａと第２の連結ピン１１３Ｂが移動可能とされた「所定の範囲内」とは、連動リンク１１１の回動量を許容できる大きさ及び形状を有する空間部分をいう。これは、第１のスライドカム部材９３と第２のスライドカム部材９４を前後方向へ所定距離だけ移動させるために必要とされる連動リンク１１１の回動量を許容できる大きさ及び形状である。この実施例では、第１の連結支持部９６は平面から見てＬ字形とされており、第２の連結支持部１０４は一字形とされている。これにより、第１の連結ピン１１３Ａは、水平方向へ旋回することにより、第１の連結支持部９６内において前後方向及び左右方向へ所定量だけ移動することができる。また、第２の連結ピン１１３Ｂは、水平方向へ旋回することにより、第２の連結支持部１０４内において左右方向へのみ所定量だけ移動することができる。
【００７５】
また、図５〜図７等に示すように、メインシャーシ４の前棚部８ａには、光ディスク２の過剰な挿入を防止するディスク過誤挿入防止機構１２０が設けられている。このディスク過誤挿入防止機構１２０は、１枚の光ディスク２がディスク装着部に装着されたときにディスク出入口９を閉じて、２枚目の光ディスク２が筐体３内に挿入されるのを防止するものである。このディスク過誤挿入防止機構１２０は、２つのストッパ部材１２１，１２２と、この２つのストッパ部材１２１，１２２を進退動作させてディスク出入口９を開閉するストッパ進退機構１１とから構成されている。２つのストッパ部材１２１，１２２は、ディスク装着部に光ディスク２が装着されているときに、通常は光ディスク２の通過が可能とされているディスク出入口９内に突出して光ディスク２の通過を阻止する。
【００７６】
この実施例では、ストッパ部材を２個設けたディスク過誤挿入防止機構１２０について説明する。しかしながら、ストッパ部材は１個のみであってもよく、また、ストッパ部材を３個以上設ける構成としてよい。ストッパ部材を３個以上設ける場合には、３個のストッパ部材が連動してディスク出入口９を開閉できるように構成する。
【００７７】
図２２〜図３２に示すように、２つのストッパ部材１２１，１２２は、メインシャーシ４の正面部４ａの内側において横並びに配置されている。この２つのストッパ部材１２１，１２２をストッパ進退機構１１で昇降動作させることにより、２つのストッパ部材１２１，１２２のストッパ部１２５ａ，１３５ａをディスク出入口９に出し入れさせて、光ディスク２の通過を制御している。
【００７８】
図２７〜図２９等に示すように、第１のストッパ部材１２１は、断面円形の中心軸１２５と、扇形部１２６と、アーム部１２７と、連結ピン１２７ａと、カム溝部１２８と、スカート部１２９と、２つの第１のカム凸部１３１，１３２を有している。扇形部１２６は、中心軸１２５の軸方向の中途部において扇形に展開するように設けられている。この扇形部１２６の周方向の一方の側縁に連続して半径方向外側へ突出するようにアーム部１２７が設けられている。このアーム部１２７の先端に連結ピン１２７ａが設けられている。更に、扇形部１２６の他方の側縁にカム溝部１２８が設けられている。そして、扇形部１２６の下面から連結ピン１２７ａと同方向へ突出するようにスカート部１２９が設けられている。このスカート部１２９の周方向の両端に、２つの第１のカム凸部１３１，１３２が設けられている。
【００７９】
第１のストッパ部材１２１の中心軸１２５の軸方向の一端に、ディスク出入口９内に突出して光ディスク２の通過を阻止するストッパ部１２５ａが設けられている。連結ピン１２７ａは、中心軸１２５から所定の距離を隔てて平行に延在されている。カム溝部１２８には、中心軸１２５を中心として円弧状に湾曲されたカム溝１２８ａが設けられている。また、スカート部１２９は、中心軸１２５を中心として円弧状に形成されており、その中心軸１２５と連結ピン１２７ａを結ぶ線上に一方の第１のカム凸部１３１が配置されている。この第１のカム凸部１３１から周方向へ略１２０度回転変位した位置に、他方の第１のカム凸部１３２が配置されている。そして、２つの第１のカム凸部１３１，１３２の周方向の一側に、その周方向に傾斜されたカム面１３１ａ，１３２ａがそれぞれ設けられている。
【００８０】
第２のストッパ部材１２２は、断面円形の中心軸１３５と、扇形部１３６と、アーム部１３７と、連動ピン１３８と、２つの第２のストッパ側カム凸部１４１，１４２を有している。扇形部１３６は、中心軸１３５の軸方向の中途部において扇形に展開するように設けられている。この扇形部１３６の周方向の一方の側縁に連続して半径方向外側へ突出するようにアーム部１３７が設けられている。このアーム部１３７の先端に連動ピン１３８が設けられている。そして、扇形部１３６の下面から突出するように２つの第２のカム凸部１４１，１４２が設けられている。
【００８１】
第２のストッパ部材１２２の中心軸１３５の軸方向の一端に、ディスク出入口９内に突出して、ストッパ部１２５ａと協働して光ディスク２の通過を阻止するストッパ部１３５ａが設けられている。連動ピン１３８は、中心軸１３５から所定の距離を隔てて平行に延在されており、組立時には、第１のストッパ部材１２１のカム溝１２８ａに摺動可能に係合される。この連動ピン１３８と中心軸１３５との間であって、これらを結ぶ線上の近傍に、一方の第２のカム凸部１４１が配置されている。この第２のカム凸部１４１から周方向へ略１２０度回転変位した位置に、他方の第２のカム凸部１４２が配置されている。そして、２つの第２のカム凸部１４１，１４２の周方向の一側に、その周方向に傾斜されたカム面１４１ａ，１４２ａが設けられている。
【００８２】
この実施例では、第１のストッパ部材１２１の回動力を第２のストッパ部材１２２に伝達し、第１のストッパ部材１２１を回動することによって第２のストッパ部材１２２を回動させるように構成している。従って、第１のストッパ部材１２１と第２のストッパ部材１２２は、相対的に逆方向へ回動される。そのため、この実施例においては、第１のストッパ部材１２１の第１のカム凸部１３１，１３２に設けたカム面１３１ａ，１３２ａに対して第２のストッパ部材１２２の第２のカム凸部１４１，１４２に設けたカム面１４１ａ，１４２ａは、周方向の反対側に設定されている。
【００８３】
このような構成を有する一対のストッパ部材１２１，１２２を回動自在且つ昇降自在に支持するために、メインシャーシ４の正面部４ａの内側にストッパ収納部１４５が設けられている。ストッパ収納部１４５は、図２６に示すような構成を有している。即ち、ストッパ収納部１４５は、半長円形をなす凹嵌部１４６と、２つの軸受部１４７，１４８と、２つの第１のカム受部１５１，１５２と、２つの第２のカム受部１５３，１５４等を備えている。凹嵌部１４６は、２つのストッパ部材１２１，１２２を所定の角度範囲内で回動可能に収納できる凹部である。また、２つの軸受部１４７，１４８は、２つのストッパ部材１２１，１２２の中心軸１２５，１３５の下部を回動自在に支持する。第１のカム受部１５１，１５２は、第１のストッパ部材１２１の２つの第１のカム凸部１３１，１３２に対応して設けた凸部である。更に、第２のカム受部１５３，１５４は、第２のストッパ部材１２２の２つの第２のカム凸部１４１，１４２に対応して設けた凸部である。
【００８４】
２つの軸受部１４７，１４８は、メインシャーシ４の正面部４ａ内面の左右方向の略中央部において左右方向に所定の間隔をあけて設けた円弧状の軸受溝部１５５と、その軸受溝部１５５の下部を円弧状に囲う軸枷部１５６とからなっている。軸受溝部１５５の内周面と軸枷部１５６の内周面とが中心軸１２５，１３５の外周面に対応する大きさの円形となっており、これらによって中心軸１２５，１３５のスラスト方向が支持されている。そして、軸受溝部１５５の下方に位置する端面部により、中心軸１２５，１３５のラジアル方向が支持されている。これら軸受部１４７，１４８に対向される前棚部８ａには、それぞれ半円形をなす貫通穴１５７Ａ，１５７Ｂが設けられている。
【００８５】
ストッパ収納部１４５の第１の貫通穴１５７Ａの周縁上面には、第１のストッパ部材１２１の２つの第１のカム凸部１３１，１３２を摺動可能に支持する第１の摺動支持面１５８が設けられている。また、第２の貫通穴１５７Ｂの周縁上面には、第２のストッパ部材１２２の２つの第２のカム凸部１４１，１４２を摺動可能に支持する第２の摺動支持面１５９が設けられている。そして、ストッパ収納部１４５内において、第１の摺動支持面１５８の半径方向外側に２つの第１のカム受部１５１，１５２が設けられ、第２の摺動支持面１５９の半径方向外側に２つの第２のカム受部１５３，１５４が設けられている。
【００８６】
第１のカム受部１５１，１５２において、その傾斜されたカム面１５１ａ、１５２ａは、第１のカム凸部１３１，１３２のカム面１３１ａ、１３２ａと対向する側に設けられている。これらのカム面１３１ａ、１３２ａ及びカム面１５１ａ、１５２ａは、それぞれ摺動可能な状態で接触されている。同様に、第２のカム受部１５３，１５４において、その傾斜されたカム面１５３ａ、１５４ａは、第２のカム凸部１４１，１４２のカム面１４１ａ、１４２ａと対向する側に設けられている。これらのカム面１４１ａ、１４２ａ及びカム面１５３ａ、１５４ａも同じく、それぞれ摺動可能な状態で接触されている。
【００８７】
図２９は、第１のストッパ部材１２１と第２のストッパ部材１２２を組み合せた状態を示している。２つのストッパ部材１２１，１２２は、組み合わせた状態でストッパ収納部１４５に収納される。このとき、各ストッパ部材１２１，１２２は、弾性部材の一具体例を示すコイルバネ１６１（図２８に示す。）により、ディスク出入口９からストッパ部１２５ａ，１３５ａを引き込む方向へ常時付勢されている。２つのコイルバネ１６１の一端は、２つの軸受部１４７，１４８の各軸枷部１５６に設けたバネ受け片１５６ａに係止されている。そして、２つのコイルバネ１６１の他端は、各扇形部１２６，１３６に設けたバネ掛け部１２６ａ，１３６ａにそれぞれ掛け止められている。
【００８８】
図２６及び図３２等に示すように、ストッパ収納部１４５の周囲は囲い壁１６２によって囲われている。囲い壁１６２の上端縁には、第１のストッパ部材１２１が所定量以上に上昇するのを防止する第１の抜止め部１６５Ａと、第２のストッパ部材１２２が所定量以上に上昇するのを防止する第２の抜止め部１６５Ｂが設けられている。第１の抜止め部１６５Ａは第１のストッパ部材１２１の扇形部１２６の外縁上方に突出され、第２の抜止め部１６５Ｂは第２のストッパ部材１２２の扇形部１３６の外縁上方に突出されている。また、囲い壁１６２の第１のストッパ部材１２１側には、アーム部１２７を突出させることができるように切欠き部１６３が設けられている。
【００８９】
囲い壁１６２の切欠き部１６３から突出したアーム部１２７の先端に設けた連結ピン１２７ａは、揺動レバー５８の長穴１６４に所定の範囲内で移動可能に係合されている。揺動レバー５８は、前棚部８ａに立設された第１の支持軸５７に回動自在に支持されており、この揺動レバー５８の回動によって一対のストッパ部材１２１，１２２が回動される。この揺動レバー５８の回動により、一対のストッパ部材１２１，１２２が昇降動作されて、ディスク出入口９に２つのストッパ部１２５ａ，１３５ａが出し入れされる。
【００９０】
揺動レバー５８は、平面形状が略Ｌ字形をした板状の部材からなり、その中間部に第１の支持軸５７が回動自在に嵌合されている。この揺動レバー５８の長手方向の一端に長穴１６４が設けられ、長手方向の他端にカムピン１６６が設けられている。このカムピン１６６は、左摺動部８ｂまで延在され、第１のスライドカム部材９３に設けた図示しないストッパ部材動作用カム部に摺動可能に係合されている。この第１のスライドカム部材９３が左摺動部８ｂを前後方向へ移動することにより、ストッパ部材動作用カム部の作用を介して、揺動レバー５８が第１の支持軸５７を中心として所定量だけ回動される。これにより、一対のストッパ部材１２１，１２２が昇降動作して、ディスク出入口９の開閉が制御される。
【００９１】
前記第１のスライドカム部材９３と前記揺動レバー５８により、２つのストッパ部材１２１，１２２を回動させる回動駆動部が構成されている。また、第１のカム凸部１３１，１３２及び第２のカム凸部１４１，１４２と、第１のカム受部１５１，１５２及び第２のカム受部１５３，１５４により、回動方向と垂直をなす方向にストッパ部材１２１，１２２を進退させる進退駆動部が構成されている。そして、回動駆動部と進退駆動部によって、２つのストッパ部１２５ａ，１３５ａをディスク出入口９に出し入れさせるストッパ進退機構１１が構成されている。
【００９２】
なお、この実施例においては、２個のストッパ部材１２１，１２２を用いた例について説明したが、ストッパ部材は１個だけでもよく、また、３個以上設ける構成とすることもできる。１個のストッパ部材を用いる場合には、上述した第１のストッパ部材１２１と、この第１のストッパ部材１２１を昇降動作させる機構とによってディスク過誤挿入防止機構を構成することができる。また、３個以上のストッパ部材を用いる場合には、上述した一対のストッパ部材１２１，１２２及びその昇降機構の他に、第３以上のストッパ部材として第２のストッパ部材１２２を同様に用いることによってディスク過誤挿入防止機構を実現することができる。
【００９３】
図１〜図４に示すように、ディスクドライブ装置６等が収納されたメインシャーシ４の上面を覆う上部プレート５の略中央部には、ターンテーブル６７との間で光ディスク２を着脱可能に挟持するクランプ部材１７０が取り外し自在に配置されている。クランプ部材１７０は、回動部材１７１を介して支持部材である上部プレート５に対して、高さ方向に所定の範囲内で昇降動作可能に支持されている。上部プレート５には、回動部材１７１を回動可能に支持するクランプ収納部１７２が設けられている。そして、クランプ収納部１７２には、クランプ部材１７０の中央部に設けた円柱状の円形膨出部１７１ａを貫通させるための貫通穴１７３が開口されている。
【００９４】
図１５及び図１７Ａ，１７Ｂに示すように、クランプ部材１７０は、中央部に円柱状の円形膨出部１７５ａを有するクランプ本体１７５と、このクランプ本体１７５内に収納されるヨーク部材１７６とからなっている。クランプ本体１７５の円形膨出部１７５ａの開口側には、半径方向の外側に展開された円形の外フランジ１７５ｂが設けられている。円形膨出部１７５ａの外周面の外周縁には面取り部が設けられ、また、半径方向の内側には、ターンテーブル６７の嵌合部６７ｂと位置合わせするための位置決め凹部１７５ｃが設けられている。
【００９５】
また、クランプ本体１７５の円形膨出部１７５ａの凹側の内部には、ヨーク部材１７６を着脱可能に保持するための支持軸１７７と複数（本実施例では３個）の固定片１７８とが設けられている。支持軸１７７は、凹部内の略中央部に立設されており、この支持軸１７７を中心に複数の固定片１７８が対称形状をなすように配置されている。これら支持軸１７７及び固定片１７８の配置形状に対応させて、ヨーク部材１７６の中央部には中央穴１７９ａが設けられ、また、半径方向の所定位置に複数の取付穴１７９ｂが設けられている。
【００９６】
そして、中央穴１７９ａに支持軸１７７を挿入し、複数の取付穴１７９ｂにそれぞれ固定片１７８を挿入した後、ヨーク部材１７６を所定角度回動させることにより、ヨーク部材１７６がクランプ本体１７５に固定される。また、固定されているヨーク部材１７６を逆方向へ回動させることにより、クランプ本体１７５からヨーク部材１７６を取り外すことができる。ヨーク部材１７６は、ターンテーブル６７の嵌合部６７ｂに収納されたマグネット７３及びヨーク７４から付与される磁力を受けて、クランプ部材１７０をターンテーブル６７側に吸引させるものである。ヨーク部材１７６の材質としては、例えば、鉄板、鋼板、その他の磁性体は勿論のこと、マグネットを用いることもできる。
【００９７】
図１４〜図１７に示すように、回動部材１７１は、クランプ部材１７０よりも少し大きなリング状の部材からなっている。この回動部材１７１は、クランプ部材１７０の外フランジ１７５ｂの外径よりも内径が大きなリング本体１７１ａと、このリング本体１７１ａの半径方向内側に展開されたリング状の内フランジ１７１ｂと、リング本体１７１ａの半径方向外側に展開された外フランジ１７１ｃと、リング本体１７１ａの半径方向外側の一部に設けたギア部１８０とを有している。
【００９８】
回動部材１７１のリング本体１７１ａには、円弧状をなす３つのカム穴１８１が設けられている。３つのカム穴１８１は、リング本体１７１ａの周方向へ等角度間隔に配置されている。そして、各カム穴１８１の一側には、次に述べるカム凸部１８２を用いて回動部材１７１をロックするための段部１８１ａが設けられている。回動部材１７１の内フランジ１７１ｂの内径は、クランプ本体１７５の円形膨出部１７５ａの外径よりも大きいが、外フランジ１７５ｂの外径よりは小さく形成されている。この回動部材１７１の内フランジ１７１ｂでクランプ部材１７０の外フランジ１７５ｂを支えるようになっている。
【００９９】
回動部材１７１の外フランジ１７１ｃは、回動部材１７１がクランプ収納部１７２から外れるのを防止するものである。そのため、クランプ収納部１７２を囲う囲い壁１８３の３箇所には、半径方向内側へ突出した抜け止め爪１８５が設けられている。３つの抜け止め爪１８５は、互いに等間隔に配置されており、これに対応する切欠き１８６が回動部材１７１の外フランジ１７１ｃに設けられている。
【０１００】
この回動部材１７１の構造に対応させて、クランプ収納部１７２の対応する位置には、３つのカム凸部１８７が設けられている。３つのカム凸部１８７は、３つのカム穴１８１と同心上において等角度間隔に配置されている。そして、各カム凸部１８７には、周方向の一側に傾斜された斜面部１８７ａと、周方向の他側に突出する庇部１８７ｂとが設けられている。
【０１０１】
回動部材１７１を一方へ回動することにより、３つのカム凸部１８７が３つのカム穴１８１に完全に入り込むと、図１７Ｂに示すように、回動部材１７１は最も低い位置となる。そして、カム凸部１８７の庇部１８７ｂがカム穴１８１の段部１８１ａに乗り上げるように係合することにより、回動部材１７１が上部プレート５にロックされる。この状態において、クランプ部材１７０がターンテーブル６７に吸着され、光ディスク２がクランプ部材１７０とターンテーブル６７によって挟持される。
【０１０２】
これに対して、回動部材１７１を一方へ回動すると、３つのカム凸部１８７の各斜面部１８７ａにガイドされて回動部材１７１が押し上げられる。そして、３つのカム凸部１８７を完全に乗り越えると、図１７Ａに示すように、回動部材１７１は最も高い位置となる。この状態では、クランプ部材１７０がターンテーブル６７から完全に引き離され、光ディスク２の挟持状態が解除される。
【０１０３】
この回動部材１７１を自動的に回動させるため、上部プレート５の上面には、駆動レバー１９０が回動自在に取り付けられている。駆動レバー１９０は、平面形状が山形をなすレバー部材からなり、長手方向の一端が扇形に形成されていて、その先端にギア部１９１が設けられている。駆動レバー１９０の長手方向の他端には、操作ピン１９２が設けられている。このような構成を有する駆動レバー１９０が、ギア部１９１を回動部材１７１のギア部１８０に噛合させた状態で、固定ネジ１９３によって上部プレート５に回動可能に固定されている。このとき、操作ピン１９２は、上部プレート５に設けた円弧状の長穴１９４を貫通して筐体３内に入り込んでいる。そして、操作ピン１９２は、第２のスライドカム部材９４に設けたレバー支持部１０５に係合されている。
【０１０４】
前記回動部材１７１と、上部プレート５に設けたカム凸部１８７と、駆動レバー１９０とによって、回動部材１７１を回動させることでその回動部材１７１を所定の高さまで昇降動作させる回動昇降機構が構成されている。この実施例では、回動部材１７１の水平状態を維持しつつ昇降動作させるための水平バランスが良いことから、カム凸部１８７とカム穴１８１を３個づつ等間隔に設けた例について説明した。しかしながら、カム凸部１８７とカム穴１８１は４個以上を設ける構成としてもよく、また、２つのカム凸部とカム穴を対称位置に配置する構成とすることもできる。更に、この実施例とは逆に、回動部材にカム凸部を設け、これに対応するカム穴又はカム溝を支持部材である上部プレート５或いはこれに代わる部材に設ける構成とすることもできる。
【０１０５】
図１６Ａ〜１６Ｃは、回動昇降機構の動作を説明する図である。図１６Ａは、回動昇降機構によって回動部材１７１が上方に持ち上げられた状態を示している。この状態では、３つのカム凸部１８７は３つのカム穴１８１から変位した位置にあり、回動部材１７１のギア部１８０には駆動レバー１９０のギア部１９１の前端部が噛合されている。このとき、クランプ部材１７０は、ターンテーブル６７から十分に引き離されて、回動部材１７１に支持されている状態となっている。
【０１０６】
図１６Ｂは、光ディスク２がある距離を搬送され、光ディスク２の外周縁が操作ピン１９２に当接して押圧することにより、駆動レバー１９０が少し回動した状態を示している。この駆動レバー１９０の回動により、その回動量に応じて回動部材１７１が回動される。その結果、各カム穴において、カム凸部１８７が斜面部１８７ａの下側からカム穴内に入り込み、回動部材１７１が持ち上げられる。そして、光ディスク２が所定位置であるディスク装着部まで搬送されると、図１６Ｃに示す状態となる。
【０１０７】
図１６Ｃは、回動部材１７１が、最も低い位置まで移動した状態を示している。この状態では、３つのカム凸部１８７は３つのカム穴１８１内に完全に入り込み、カム凸部１８７の庇部１８７ｂは、カム穴１８１の段部１８１ａに係合される。これにより、回動部材１７１が上部プレート５のクランプ収納部１７２にロックされる。
【０１０８】
図２〜図４に示すように、上部プレート５の内面には、ディスク搬送機構７と協働して光ディスク２を搬送する第１の搬送支持アーム１９５及び第２の搬送支持アーム１９６と、第２の搬送支持アーム１９６を動作させる作動アーム１９７が取り付けられている。２つの搬送支持アーム１９６，１９７と作動アーム１９７はクランプ部材１７０を取り囲むように配置されている。この実施例では、クランプ部材１７０の右側方に第１の搬送支持アーム１９５が配置され、クランプ部材１７０の左斜め後方に第２の搬送支持アーム１９６が配置され、クランプ部材１７０の左側方に作動アーム１９７が配置されている。そして、クランプ部材１７０の右斜め後方に駆動レバー１９０が配置されている。
【０１０９】
第１の搬送支持アーム１９５は、一端にディスク受部２０１を備え、他端が第１の支持軸２０２によって上部プレート５に回動自在に支持されている。この第１の搬送支持アーム１９５は、図示しないバネ部材によってディスク受部２０１がクランプ部材１７０に近づく方向へ付勢されている。図２は、第１の搬送支持アーム１９５の初期位置を示しており、光ディスク２の挿入状態に応じて逐次的に時計方向に回動される。図３は、光ディスク２がディスク装着部まで搬送された状態を示しており、この状態までディスク受部２０１は光ディスク２の外周縁の一部を支持している。その後の記録・再生時には、図４に示すように、第１の搬送支持アーム１９５は、光ディスク２から離れて半径方向外側に移動し、その待機した状態を維持する。
【０１１０】
第２の搬送支持アーム１９６は、一端にディスク受部２０３を備え、他端が回動板２０４によって所定の範囲内を回動可能に支持されている。回動板２０４は、第２の支持軸２０５によって上部プレート５に回動自在に支持されている。この回動板２０４の近傍において、作動アーム１９７の一端が取付ネジ２０６によって上部プレート５に回動自在に支持されている。作動アーム１９７の他端には、搬送される光ディスク２に接触することによって押圧される入力ピン９が設けられている。この作動アーム１９７の一端には連結部２０８が設けられており、その連結部２０８によって回動板２０４と所定の範囲内で相対的に回動可能に連結されている。
【０１１１】
回動板２０４は、図示しないバネ部材によってディスク受部２０３がクランプ部材１７０に近づく方向へ付勢されている。また、作動アーム１９７も、図示しないバネ部材によって入力ピン２０７がクランプ部材１７０に近づく方向へ付勢されている。回動板２０４と作動アーム１９７には、互いの回動を制限するように係合されるラチェット部が設けられている。このラチェット部は、凸部２１１と受部２１２との組み合わせからなり、凸部２１１が回動板２０４に設けられ、受部２１２が作動アーム１９７に設けられている。
【０１１２】
図２は、第２の搬送支持アーム１９６の初期位置を示している。第２の搬送支持アーム１９６は、光ディスク２の挿入状態に応じて逐次的に反時計方向に回動される。図３は、光ディスク２がディスク装着部まで搬送された状態を示しており、この状態まで第２の搬送支持アーム１９６のディスク受部２０３は、光ディスク２の外周縁の一部を支持している。その後の記録・再生時には、図４に示すように、第２の搬送支持アーム１９６は、光ディスク２から離れて半径方向外側に移動し、その待機した状態を維持する。
【０１１３】
同様に、図２は、作動レバー１９７の初期位置を示している。作動レバー１９７は、光ディスク２の挿入状態に応じて逐次的に時計方向に回動され、この作動レバー１９７の回動によって第２の搬送支持アーム１９６が回動される。図３は、光ディスク２がディスク装着部まで搬送された状態を示しており、この状態まで作動レバー１９７が移動することにより、第２の搬送支持アーム１９６が同図に示す状態に変化する。その後の記録・再生時には、図４に示すように、作動レバー１９７が光ディスク２から離れることにより、第２の搬送支持アーム１９６が同図に示す状態となるよう半径方向外側に移動し、その待機した状態を維持する。
【０１１４】
図１２Ａ〜１２Ｃは、クランプ部材１７０に対するターンテーブル６７の引き剥がし動作を説明する、第１の実施例を示すものである。この第１の実施例として示す引き剥がし機構は、図１２Ａに示す状態から、まず、ドライブホルダ６６の前側であるターンテーブル６７側を引き下げ（角度α）、そのターンテーブル６７をクランプ部材１７０から引き剥がす（図１２Ｂの状態）。次に、ドライブホルダ６６のターンテーブル６７と反対側である後側を引き下げて、ディスクドライブ装置６を水平状態（図１２Ｃの状態）に変化させるものである。なお、符号２２０は、メインシャーシ４に対してドライブホルダ６６を弾性的に支持するためのマウントインシュレータである。
【０１１５】
図１２Ａの状態では、光ディスク２は、ディスク搬送機構１０と２つの搬送支持アーム１９５，１９６によって水平状態（ＣＬ）に保持されている。この状態から、一対のスライドカム部材９３，９４を前後方向に移動させてドライブホルダ６６の前側を押下げ、ディスクドライブ装置６の姿勢を前下がりの状態に変化させる。これにより、クランプ部材１７０は、真上から作用する力ではなく、斜め方向から作用する力を受けて、ターンテーブル６７及び光ディスク２から引き剥がされることになる。そのため、ターンテーブル６７に内蔵されているマグネット７３とクランプ部材１７０に保持されているヨーク１７６とが引き合う吸着力に抗して、ターンテーブル６７をクランプ部材１７０から引き剥がすときの負荷を軽減させることができる。同時に、引き剥がすときの動作音も低減することができる。
【０１１６】
図１３Ａ〜１３Ｃは、クランプ部材１７０に対するターンテーブル６７の引き剥がし動作を説明する、第２の実施例を示すものである。この第２の実施例として示す引き剥がし機構は、図１３Ａに示す状態から、まず、ドライブホルダ６６の前側であるターンテーブル６７側を引き下げ（角度α１）、そのターンテーブル６７をクランプ部材１７０から引き剥がす（図１３Ｂの状態）。次に、水平状態（ＣＬ）に戻ることなく、更に前側を引き下げる（角度α２）。このとき、ドライブホルダ６６の後側は略同じ高さに保持し、前側のみを続けて下げるようにして、ディスクドライブ装置６を傾斜状態（図１３Ｃの状態）に変化させる。
【０１１７】
図１３Ａの状態では、光ディスク２は、同じくディスク搬送機構１０と２つの搬送支持アーム１９５，１９６によって水平状態（ＣＬ）に保持されている。この状態から、一対のスライドカム部材９３，９４を前後方向に移動させてドライブホルダ６６の前側を押下げ、ディスクドライブ装置６の姿勢を前下がりの状態に変化させる。これにより、クランプ部材１７０は、真上から作用する力ではなく、斜め方向から作用する力を受けて、ターンテーブル６７及び光ディスク２から引き剥がされることになる。
【０１１８】
これにより、ターンテーブル６７に内蔵されているマグネット７３とクランプ部材１７０に保持されているヨーク１７６とが引き合う吸着力に抗して、ターンテーブル６７をクランプ部材１７０から引き剥がすときの負荷を軽減させることができる。しかも、引き剥がすときの動作音も低減することができる。更に、この実施例では、ディスクドライブ装置６のリア側に符号３００で示す空きスペースができる。そのため、この空きスペース３００を占有しないことにより、装置全体のコンパクト化を図ることができる。
【０１１９】
上述したような構成を有するディスク記録再生装置１は、例えば、次のようにして組み立てることができる。まず、メインシャーシ４の前棚部８ａに、ストッパ進退機構１１を組み立てる。次に、メインシャーシ４の開口部６５にディスクドライブ装置６を配置すると共に、左摺動部８ｂに第１のスライドカム部材９３を組み立て、右摺動部８ｃに第２のスライドカム部材９４を組み立てる。そして、ディスクドライブ装置６の第１のカムピン９１Ａ，９１Ｂを第１のスライドカム部材９３の第１のカム部９９Ａ，９９Ｂに係合させる。これと同時に、又は前後して、ディスクドライブ装置６の第２のカムピン９２Ａ，９２Ｂを第２のスライドカム部材９４の第２のカム部１０７Ａ，１０７Ｂに係合させる。
【０１２０】
次に、連動リンク１１１を上部プレート５に取り付け、一端の連結ピン１１３Ａを第１のスライドカム部材９３の第１の連結支持部９６に係合させ、他端の連結ピン１１３Ｂを第２のスライドカム部材９４の第２の連結支持部１０４に係合させる。次いで、メインシャーシ４の前部にディスク搬送機構１０を組み立てる。そして、予め搬送支持アーム１９５，１９６や駆動レバー１９０及び作動アーム１９７等が組み立てられている上部プレート５をメインシャーシ４に組み立てる。
【０１２１】
このディスク記録再生装置１の動作は、例えば、次のようなものである。図２等に示すように、光ディスク２は、筐体３のディスク出入口９から挿入し、このディスク出入口９から排出される。この光ディスク２が、ディスク搬送機構１０等によって搬送される筐体３内の所定位置がディスク装着部であり、例えば、ターンテーブル６７が該当する。また、ディスク搬送機構１０等によって光ディスク２が排出側に搬送され、ディスク出入口９から所定量だけ突出して取り出し可能となった位置がディスク取出部である。
【０１２２】
図２に示す状態から、光ディスク２を筐体３内に挿入することにより、その挿入動作に連動するようにディスク搬送機構１０が動作して光ディスク２をディスク装着部まで搬送する。このとき、光ディスク２が搬送される力によって、まず、第２のスライドカム部材９４が後方に移動し、その移動力が、連動リンク１１１を介して第１のスライドカム部材９３に伝達され、第１のスライドカム部材９３が前方に移動する。これにより、第２のスライドカム部材９４の後方への移動に伴う第２のカム部１０７Ａ，１０７Ｂの移動と、第１のスライドカム部材９３の前方への移動に伴う第１のカム部９９Ａ，９９Ｂの移動とにより、ディスクドライブ装置６の前方が持ち上げられる。これにより、当初は前下がりの状態で保持されているディスクドライブ装置６が、その前方が持ち上げられて略水平の状態に変化する。
【０１２３】
その結果、図１２及び図１３を用いて説明した前述の動作を介して、光ディスク２がターンテーブル６７とクランプ部材１７０とで挟持される。このとき、回動部材１７１に支持されているクランプ部材１７０は、駆動レバー１９０を介して回動部材１７１が回動されて下端位置に降下することにより、徐々に降下される。そのため、マグネット７３の磁力によってクランプ部材１７０が急速に引き付けられるのを防ぐことができ、クランプ部材１７０が衝撃音を伴って光ディスク２及びターンテーブル６７に衝突するのを防止することができる。そして、光ディスク２に対する情報信号の記録（書き込み）及び／又は再生（読み出し）が可能となる。
【０１２４】
これと同時に、又は前後して、光ディスク２がディスク装着部に装着されると、ストッパ進退機構１１の作動により、２つのストッパ部材１２５，１３５の各ストッパ部１２５ａ，１３５ａがディスク出入口９に突出される。これにより、ディスク出入口９の略中央部が２つのストッパ部１２５ａ，１３５ａによって閉鎖され、２枚目の光ディスク２の挿入が阻止される。そのため、ユーザーが誤って２枚目の光ディスク２を挿入する誤操作を防止することができる。従って、光ディスク２の誤挿入による損傷を防ぐことができるばかりでなく、２枚目の光ディスク２によってディスクドライブ装置６その他の装置、機器等が破損されるのを防止することができる。
【０１２５】
これにより、光ディスク２に対する情報信号の記録（書き込み）及び／又は再生（読み出し）が可能となる。その後、記録又は再生の終了によって光ディスク２の排出操作を選択すると、ディスク搬送機構１０等の前述した挿入時とは逆の動作を介して、光ディスク２がディスク取出部に搬送される。そして、光ディスク２の一部がディスク出入口９から突出するまで搬送されると、ユーザーによる光ディスク２の取り出しが可能となる。
【０１２６】
以上説明したように、本発明によれば、小さなストッパ部材を進退移動させるだけで、ディスク状記録媒体がディスク出入口を通過するのを阻止することができ、構成部品が小さくて、占有スペースが狭く、装置全体の小型化を実現することができる。更に、構成部品が少なく、また、部品に精度の高いものが要求されないため、低コストで装置を構成することができる。
【図面の簡単な説明】
【０１２７】
【図１】本発明のディスク記録及び／又は再生装置に係るディスク記録再生装置の一実施例を示す外観斜視図である。
【図２】本発明のディスク記録及び／又は再生装置に係るディスク記録再生装置の一実施例を示すもので、ディスク状記録媒体を挿入する前の平面図である。
【図３】本発明のディスク記録及び／又は再生装置に係るディスク記録再生装置の一実施例を示すもので、ディスク状記録媒体を挿入する途中の平面図である。
【図４】本発明のディスク記録及び／又は再生装置に係るディスク記録再生装置の一実施例を示すもので、ディスク状記録媒体を挿入した後の平面図である。
【図５】本発明のディスク記録及び／又は再生装置に係るディスク記録再生装置の一実施例を示すもので、ディスク状記録媒体を挿入する前の内部構造を示す平面図である。
【図６】本発明のディスク記録及び／又は再生装置に係るディスク記録再生装置の一実施例を示すもので、ディスク状記録媒体を挿入する途中の内部構造を示す平面図である。
【図７】本発明のディスク記録及び／又は再生装置に係るディスク記録再生装置の一実施例を示すもので、ディスク状記録媒体を挿入した後の内部構造を示す平面図である。
【図８】本発明のディスク記録及び／又は再生装置に係るディスク記録再生装置の一実施例を示すもので、メインシャーシの斜視図である。
【図９】本発明のディスク記録及び／又は再生装置に係るディスク記録再生装置の一実施例を示すもので、ディスクドライブ装置と一対のスライドカム部材の斜視図である。
【図１０】本発明のディスク記録及び／又は再生装置に係るディスク記録再生装置の第１のスライドカム部材の側面図である。
【図１１】本発明のディスク記録及び／又は再生装置に係るディスク記録再生装置の第２のスライドカム部材の側面図である。
【図１２】本発明のディスク記録及び／又は再生装置に係るディスク記録再生装置のディスクドライブ装置の姿勢変化の第１の実施例を説明するもので、図１２Ａはチャッキング時、図１２Ｂはチャッキング解除時、図１２Ｃは移動後、のそれぞれ説明図である。
【図１３】本発明のディスク記録及び／又は再生装置に係るディスク記録再生装置のディスクドライブ装置の姿勢変化の第２の実施例を説明するもので、図１３Ａはチャッキング時、図１３Ｂはチャッキング解除時、図１３Ｃは移動後、のそれぞれ説明図である。
【図１４】本発明のディスク記録及び／又は再生装置に係るディスク記録再生装置の回転部材とクランプ収納部を示す説明図である。
【図１５】本発明のディスク記録及び／又は再生装置に係るディスク記録再生装置のクランプ部材と回転部材とクランプ収納部を断面した説明図である。
【図１６】本発明のディスク記録及び／又は再生装置に係るディスク記録再生装置の回動昇降機構の動作を説明するもので、図１６Ａは回動部材が最上部に位置する状態、図１６Ｂは回動部材が中間部に位置する状態、図１６Ｃは回動部材が最下部に位置する状態、のそれぞれ説明図である。
【図１７】本発明のディスク記録及び／又は再生装置に係るディスク記録再生装置のターンテーブルとクランプ部材を断面したもので、図１７Ａはターンテーブルとクランプ部材が離れた状態、図１７Ｂはターンテーブルとクランプ部材が吸着した状態、のそれぞれ説明図である。
【図１８】本発明のディスク記録及び／又は再生装置に係るディスク記録再生装置のディスク搬送機構の動作を示すもので、ディスク状記録媒体が挿入される前の説明図である。
【図１９】本発明のディスク記録及び／又は再生装置に係るディスク記録再生装置のディスク搬送機構の動作を示すもので、ディスク状記録媒体が挿入される途中の説明図である。
【図２０】本発明のディスク記録及び／又は再生装置に係るディスク記録再生装置のディスク搬送機構の動作を示すもので、ディスク状記録媒体が挿入された後の説明図である。
【図２１】本発明のディスク記録及び／又は再生装置に係るディスク記録再生装置のディスク搬送機構に係るホルダアーム等を分解した説明図である。
【図２２】本発明のディスク記録及び／又は再生装置に係るディスク記録再生装置のストッパ進退機構の動作を示すもので、ストップ部が突出する前の説明図である。
【図２３】本発明のディスク記録及び／又は再生装置に係るディスク記録再生装置のストッパ進退機構の動作を示すもので、ストップ部が突出している途中の説明図である。
【図２４】本発明のディスク記録及び／又は再生装置に係るディスク記録再生装置のストッパ進退機構の動作を示すもので、ストップ部が突出した後の説明図である。
【図２５】本発明のディスク記録及び／又は再生装置に係るディスク記録再生装置のストッパ進退機構の動作を示すもので、ストップ部でディスク状記録媒体の挿入を阻止している状態の説明図である。
【図２６】本発明のディスク記録及び／又は再生装置に係るディスク記録再生装置のメインシャーシの要部を示す説明図である。
【図２７】本発明のディスク記録及び／又は再生装置に係るディスク記録再生装置のストッパ進退機構のストッパ部材の一実施例を示す説明図である。
【図２８】本発明のディスク記録及び／又は再生装置に係るディスク記録再生装置のストッパ進退機構におけるストッパ部材の組立状態の説明図である。
【図２９】本発明のディスク記録及び／又は再生装置に係るディスク記録再生装置のストッパ進退機構におけるストッパ部材の組立状態の他の説明図である。
【図３０】本発明のディスク記録及び／又は再生装置に係るディスク記録再生装置のストッパ進退機構の動作を示すもので、ストップ部が突出する前の説明図である。
【図３１】本発明のディスク記録及び／又は再生装置に係るディスク記録再生装置のストッパ進退機構の動作を示すもので、ストップ部が突出している途中の説明図である。
【図３２】本発明のディスク記録及び／又は再生装置に係るディスク記録再生装置のストッパ進退機構の動作を示すもので、ストップ部が突出した後の説明図である。
【符号の説明】
【０１２８】
１‥ディスク記録再生装置（ディスク記録及び／又は再生装置）、  ２‥光ディスク（ディスク状記録媒体）、  ３‥筐体、  ４‥メインシャーシ、  ５‥上部プレート（上面部材）、  ６‥ディスクドライブ装置、  ９‥ディスク出入口、  １０‥ディスク搬送機構、  １１‥ストッパ進退機構、  ６６‥ドライブホルダ、  ６７‥ターンテーブル、  ６８‥スピンドルモータ、  ７０‥光ピックアップ、  ７１‥ピックアップ移動機構、  ７３‥マグネット、  ７４‥ヨーク、  ９３‥第１のスライドカム部材、  ９４‥第２のスライドカム部材、  ９９‥第１のカム部、  １０７‥第２のカム部、  １１１‥連動リンク、  １１３Ａ，１１３Ｂ‥連結ピン、  １２１，１２２‥ストッパ部材、  １２５ａ，１３５ａ‥ストッパ部、  １３１，１３２‥第１のカム凸部、  １４１，１４２‥第２のカム凸部、  １４５‥ストッパ収納部、  １５１，１５２‥第１のカム受部、  １５２，１５４‥第２のカム受部、  １７０‥クランプ部材、  １７１‥回動部材、  １７２‥クランプ収納部、  １７６‥ヨーク（吸着部材）、  １８０‥ギア部、  １８１‥カム穴、  １８７‥カム凸部、  １９０‥駆動レバー
【図１】
0005035032.tif 000002
【図２】
0005035032.tif 000003
【図３】
0005035032.tif 000004
【図４】
0005035032.tif 000005
【図５】
0005035032.tif 000006
【図６】
0005035032.tif 000007
【図７】
0005035032.tif 000008
【図８】
0005035032.tif 000009
【図９】
0005035032.tif 000010
【図１０】
0005035032.tif 000011
【図１１】
0005035032.tif 000012
【図１２】
0005035032.tif 000013
【図１３】
0005035032.tif 000014
【図１４】
0005035032.tif 000015
【図１５】
0005035032.tif 000016
【図１６】
0005035032.tif 000017
【図１７】
0005035032.tif 000018
【図１８】
0005035032.tif 000019
【図１９】
0005035032.tif 000020
【図２０】
0005035032.tif 000021
【図２１】
0005035032.tif 000022
【図２２】
0005035032.tif 000023
【図２３】
0005035032.tif 000024
【図２４】
0005035032.tif 000025
【図２５】
0005035032.tif 000026
【図２６】
0005035032.tif 000027
【図２７】
0005035032.tif 000028
【図２８】
0005035032.tif 000029
【図２９】
0005035032.tif 000030
【図３０】
0005035032.tif 000031
【図３１】
0005035032.tif 000032
【図３２】
0005035032.tif 000033